(57)【要約】【課題】タイマー時の消費電力を低減する電気湯沸かし器を提供することを目的とする。【解決手段】液体を収容する容器１と、容器１内の液体の加熱もしくは保温を行うための加熱手段２と、容器１内の液体の温度を検知する温度検知手段３と、温度検知手段３にて検知した容器１内の温度や、加熱手段２による加熱の状態や加熱保温の設定状態を表示する表示手段８と、加熱手段２による容器１への加熱保温を一時的に停止させる設定を行うタイマー設定手段９と、タイマー動作時の消費電力をさらに低減させる設定を行う低消費電力設定手段１０を設け、タイマー動作中に低消費電力設定手段１０に低消費電力モードが設定されると、表示手段８による表示をオフし非表示状態としたもので、タイマー時の消費電力を低減することができる。【選択図】図１
2005137555.tif 000002
【特許請求の範囲】
【請求項１】
液体を収容する容器と、前記容器内の液体を加熱する加熱手段と、前記容器内の液体の温度を検知する温度検知手段と、前記加熱手段による加熱の状態や前記容器内の液体の温度を表示する表示手段と、前記加熱手段および前記表示手段を制御する制御手段と、前記加熱手段による加熱を所定時間停止するタイマー動作の設定を行うタイマー設定手段と、タイマー動作中の消費電力を低減する動作を選択するための低消費電力設定手段とを備え、タイマー動作中に低消費電力設定手段により、低消費電力モードが設定されている間は前記表示手段による表示を非表示状態とした電気湯沸かし器。
【請求項２】
低消費電力モード中は、表示手段の非表示状態に代えて、表示手段による表示を間欠的に行う構成とした請求項１に記載の電気湯沸かし器。
【請求項３】
低消費電力設定手段はタイマー設定手段を兼ねる構成とした請求項１または２に記載の電気湯沸かし器。
【請求項４】
制御手段はマイクロコンピュータで構成され、低消費電力設定手段にて低消費電力モードが設定されている間は、マイクロコンピュータも消費電力の少ないモードにて動作させる構成とした請求項１〜３のいずれか１項に記載の電気湯沸かし器。
【請求項５】
低消費電力モード中は、表示手段の非表示状態または間欠的表示に代えて、他の消費電力の低い表示手段にて表示を行う構成とした請求項１〜４のいずれか１項に記載の電気湯沸かし器。
【発明の詳細な説明】
【技術分野】
【０００１】
本発明は、消費電力の低減を図った電気湯沸かし器に関するものである。
【背景技術】
【０００２】
従来、電気湯沸かし器においては、タイマー動作中はその間は表示手段が動作しつづける構成となっている（例えば、特許文献１参照）。
【特許文献１】特許第３１２５４３０号公報
【発明の開示】
【発明が解決しようとする課題】
【０００３】
しかしながら、前記従来の構成では、タイマー動作を設定して、使用しない所定時間の間は通電時の消費電力を低減するようにしているにも関らず、表示手段の動作（点灯）による電力を消費してしまう可能性があった。
【０００４】
本発明は、前記従来の課題を解決するもので、タイマー動作中の消費電力をさらに低減させる電気湯沸かし器を提供することを目的とする。
【課題を解決するための手段】
【０００５】
前記従来の課題を解決するために、本発明の電気湯沸かし器は、低消費電力設定手段を設け、低消費電力モード中は表示手段による表示を非表示状態としたものである。
【０００６】
これによって、タイマー動作中の表示手段による電力消費を無くし、タイマー動作中の消費電力をさらに低減することとなる。
【発明の効果】
【０００７】
本発明の電気湯沸かし器は、タイマー動作中の消費電力をさらに低減することができる。
【発明を実施するための最良の形態】
【０００８】
第１の発明は、液体を収容する容器と、前記容器内の液体を加熱する加熱手段と、前記容器内の液体の温度を検知する温度検知手段と、前記加熱手段による加熱の状態や前記容器内の液体の温度を表示する表示手段と、前記加熱手段および前記表示手段を制御する制御手段と、前記加熱手段による加熱を所定時間停止するタイマー動作の設定を行うタイマー設定手段と、タイマー動作中の消費電力を低減する動作を選択するための低消費電力設定手段とを備え、タイマー動作中に低消費電力設定手段により、低消費電力モードが設定されている間は前記表示手段による表示を非表示状態とした電気湯沸かし器とすることにより、タイマー動作中の消費電力を低減することができ、消費電力の低減を図った電気湯沸かし器が提供できる。
【０００９】
第２の発明は、特に、第１の発明において、低消費電力モード中は、表示手段の非表示状態に代えて、表示手段による表示を間欠的に行う構成としたことにより、使用者に現在の状態を分かるようにしながら、タイマー動作中の消費電力を低減することができる。
【００１０】
第３の発明は、特に、第１または第２の発明において、低消費電力設定手段はタイマー設定手段を兼ねる構成としたことにより、タイマー時の消費電力を低減することができるだけでなく、操作が煩雑になることを防ぐことも可能となる。
【００１１】
第４の発明は、特に、第１〜第３のいずれか１つの発明において、制御手段はマイクロコンピュータで構成され、低消費電力設定手段にて低消費電力モードが設定されている間は、マイクロコンピュータも消費電力の少ないモードにて動作させる構成としたことにより、タイマー動作時の消費電力をさらに低減することができる。
【００１２】
第５の発明は、特に、第１〜第４のいずれか１つの発明において、低消費電力モード中は、表示手段の非表示状態または間欠的表示に代えて、他の消費電力の低い表示手段にて表示を行う構成としたことにより、タイマー動作中の消費電力を低減することができる。
【００１３】
以下、本発明の実施の形態について、図面を参照しながら説明する。なお、この実施の形態によって本発明が限定されるものではない。
【００１４】
（実施の形態１）
図１〜図３は本発明の実施の形態１における電気湯沸かし器を示すものである。
【００１５】
図１に示すように、容器１は液体を収容するもので、円筒形状をしている。容器１内の液体の加熱もしくは保温を行うための加熱手段２は、容器１に当接して配設されており、通常は加熱用と保温用の２つ以上のヒータで構成される。容器１に当接され容器内の液体の温度を検知する温度検知手段３は、サーミスタ等で構成されている。吐出制御手段４はスイッチ等で構成されている。この吐出制御手段４をオンさせることによって、吐出手段５を駆動し、容器１内の液体を外部へ吐出する。吐出手段５は容器１から外部まで液体を送り出す導水路５ａと、この導水路中にあるポンプ５ｂと、このポンプ５ｂを駆動させるモーター５ｃにて構成されている。制御手段６は、各手段を制御するものであり、温度検知手段３で検知した温度が伝えられる。
【００１６】
加熱制御手段７は、加熱手段２への通電を制御することにより、加熱手段２のオンオフ制御を行うものであり、一般的には、リレーやトライアック等で構成される。表示手段８は、温度検知手段３にて検知した容器１内の液体の温度や、加熱手段２による加熱の状態や加熱保温の設定状態を表示するものであり、ＬＣＤやＬＥＤ等で構成される。タイマー設定手段９は、加熱手段２による容器１への加熱保温を所定時間停止するタイマー動作の設定を行うものであり、スイッチ等で構成される。低消費電力設定手段１０は、タイマー動作中の消費電力をさらに低減させるよう動作を選択するものであり、スイッチ等で構成される。そして、タイマー動作中に低消費電力設定手段１０により、低消費電力モードが設定されている間は前記表示手段８による表示を非表示状態としたものである。
【００１７】
ここで、制御手段６は、温度検知手段３で検知した温度が、例えば、約９０℃より低い場合には、制御手段６から加熱制御手段７に命令を出し、加熱用の加熱ヒータを制御し液体の加熱を行い、温度検知手段３にて検知する温度勾配がほぼ横這いになると、容器１内の液体が沸騰したと見なし、加熱手段２の加熱ヒータによる加熱を終了し、制御手段６からの命令により加熱制御手段７にて保温ヒータによる保温制御を開始する。そして、液体の温度が例えば約９８℃で安定するように保温制御を行うものである。
【００１８】
図２は本実施の形態における電気湯沸かし器の回路を示している。
【００１９】
図２に示すように、加熱手段２は、容器１内の液体を加熱する第一の発熱体２ａと、第一の発熱体よりも発熱量が少なく容器１内の液体を加熱保温する第二の発熱体２ｂで構成され、加熱制御手段７は、加熱手段２と直列に接続されたリレー接点７ａ、７ｂと、このリレー接点７ａ、２ｂの制御を行うリレーコイル７ｃ、７ｄで構成され、このリレーコイルに電流を流すことにより、前記リレー接点を閉じるようになっている。
【００２０】
温度検知手段３は、温度を抵抗値に変換するサーミスタ３ａと分圧用抵抗３ｂとで分圧値を作る。ここで、容器１内の液体が対流する際や液体が沸騰前に発生しやすい気泡の破裂などによるサーミスタ３ａの検知の揺らぎや、電気的外来ノイズを吸収するために、充放電用の抵抗３ｄと電解コンデンサ３ｅを備え、これらのポートの出力を、制御手段６をなすマイクロコンピュータ６ａ（以後、マイコンと略す）にて温度を検出するタイミングに応じて変化させ、検知温度の変化を安定して精度良く検出することができる。こうして電気的外来ノイズやサーミスタ３ａの検知の揺らぎを極力除去した分圧値をＡＤ変換器３ｃにて２進符号に変換する。ＡＤ変換器３ｃは約１０〜１３０℃の範囲を単位温度幅（本実施の形態では約０．５℃）の温度刻みにし、温度を２進符号にて出力する。そして、この２進符号が１ビット変化するのに要する時間を検知して、例えば、ある所定時間以上要していれば、容器１内の液体が沸騰状態になったため温度の上昇がほぼ横這いになったとして、加熱制御手段７にて加熱制御から保温制御に切り替えたり、また、例えば、変化に要する時間がある所定時間以内であるのを連続的に検知した場合には、容器１内の液体の量が不足しているために温度が急激に上昇していると判断し、加熱制御手段７にて加熱を停止したりする。
【００２１】
吐出手段５は、図ではモーター５ｃで構成され、吐出制御手段４は、回路図ではスイッチ４ａとスイッチ４ａのオンオフによって制御される第一のトランジスタ４ｂと、第一のトランジスタ４ｂに直列に接続された抵抗４ｃと、マイコン６ａによってオンオフ制御される第二のトランジスタ４ｄと、マイコン６ａの出力を決定するロック解除スイッチ４ｅによって構成される。ロック解除スイッチ４ｅがオンされると、マイコン６ａは先ずその時のスイッチ４ａ状態を、このスイッチ４ａに接続されているマイコン６ａのポートの電位によって判断する。この電位が”Ｌ”となっていたらスイッチ４ａがオンされている状態なので、第二のトランジスタ４ｄをオンさせると即吐出が行われるため危険であり、このロック解除スイッチ４ｅの入力を無効にする。この電位が”Ｈ”の場合は、スイッチ４ａがオフ状態であり第二のトランジスタ４ｄをオンさせても即吐出にはならないので、マイコン６ａの出力を”Ｈ”（本実施の形態ではオープン）から”Ｌ”に変え、第二のトランジスタ４ｄをオン状態にする（この状態を以下、ロック解除状態という）。ロック解除状態でスイッチ４ａがオンされると、第一のトランジスタ４ｂがオンしモーター５ｃに抵抗４ｃとの分圧の電圧がかかり、スイッチ４ａがオンされている間、モーター５ｃに電流が流れ、容器１内の液体が吐出される。また、吐出終了後もロック解除状態が継続されるのを防ぐために、ロック解除状態でスイッチ４ａの電位が”Ｈ”状態であるのを第一の所定時間（本実施の形態では１０秒とする）継続した場合には、マイコン６ａの出力を”Ｈ”にし第二のトランジスタ４ｄをオフさせロック解除状態を解く。
【００２２】
表示手段８は、図ではＬＣＤ８ａとＬＥＤ８ｂ、ＬＥＤ８ｃ、ＬＥＤ８ｄとＬＥＤ８ｂに直列に接続された抵抗８ｅ、ＬＥＤ８ｃに直列に接続された抵抗８ｆ、ＬＥＤ８ｄに直列に接続された抵抗８ｇによって構成され、ＬＣＤ８ａでは、常時、温度検知手段３にて検知された温度をマイコン６ａの制御により５℃刻みのデジタル表示で表示する。また、ＬＥＤについては、加熱手段２にて加熱動作をしているときは、抵抗８ｅに接続されたマイコン６ａのポートを“Ｌ”にすることにより、ＬＥＤ８ｂを点灯させて加熱動作中であることを表示する。そして、加熱手段２による加熱中に温度検知手段３にて温度の上昇がほぼ横這いになったとことを検知し、加熱手段２の動作が加熱から保温に切り替わると抵抗８ｅへのマイコン６ａの出力を“Ｈ”（オープン）に切り替え、ＬＥＤ８ｂを消灯させると同時に、逆に抵抗８ｆへの出力を“Ｈ”から“Ｌ”に切り替え、ＬＥＤ８ｃを点灯させて保温状態であることを表示する。また、ＬＥＤ８ｄについては、前述したロック解除状態のとき、抵抗８ｇにつながるマイコン６ａの出力を“Ｌ”に切り替えて、ＬＥＤ８ｄを点灯させて出湯可能状態であることを表示する。
【００２３】
タイマー設定手段９は、図ではスイッチ９ａと抵抗９ｂで構成され、スイッチ９ａが押されるとマイコン６ａへの入力が“Ｈ”から“Ｌ”となり、スイッチ９ａが押されたことを検知する。加熱または保温中にスイッチ９ａが押されたことを検知すると、先ず、加熱手段２をオフし加熱もしくは保温動作を停止させるとともに、表示手段８のＬＥＤ８ｂとＬＥＤ８ｃをオフさせる。このときＬＣＤ８ａはタイマー設定された初期値の時間である“４時間”の表示を行う。タイマー動作中のＬＣＤ８ａでの表示は時間経過とともに表示している残時間を１時間単位で更新して表示を行う。そしてタイマー設定手段９にてタイマー設定されてから、設定時間の４時間が経過すると加熱手段２による加熱または保温動作を開始するとともに、ＬＣＤ８ａにて温度表示を行い、加熱手段２に応じた表示をＬＥＤ８ｂとＬＥＤ８ｃにて行う。
【００２４】
低消費電力設定手段１０は、図ではスイッチ１０ａと抵抗１０ｂで構成され、タイマー動作中にスイッチ１０ａが押されるとマイコン６ａへの入力が“Ｈ”から“Ｌ”となり、スイッチ１０ａが押されたことを検知する。スイッチ１０ａが押されたことを検知すると、それまで点灯していたＬＣＤ８ａの表示を含め、表示手段８による表示を全てオフにし非表示状態とする（以後、この状態を本実施の形態では低消費電力モードとする）。この状態をずっと継続し、タイマー動作前にセットされた時間が経過すると、加熱手段２による加熱または保温動作を開始するとともに、ＬＣＤ８ａにて温度表示を行い、加熱手段２に応じた表示をＬＥＤ８ｂとＬＥＤ８ｃにて行う。また、低消費電力モードにて、再度、スイッチ１０ａが押されたことを検知すると、低消費電力設定が解除されたと認識し、ＬＣＤ８ａによるタイマー動作中の残時間表示を再開する。なお、図２には、交流電源１１を示している。
【００２５】
図３は、マイコン６ａに記憶されたプログラムの低消費電力モードにおける動作部分のフローチャートを示したもので、これにより低消費電力モードの設定および動作を説明する。
【００２６】
ステップｓ１ではタイマー設定を行うスイッチ９ａが押されたかどうかを判断する。スイッチ９ａが押されたのを検知すると、すぐに加熱手段２をオフし、併せてＬＥＤ８ｂとＬＥＤ８ｃも消灯させる（ステップｓ２）。さらにこのときＬＣＤ８ａの表示を、それまで行っていた温度表示からタイマーの設定時間を示す時間表示に切り替え、タイマー設定の初期値である“４時間”を表示する（ステップｓ３）。
【００２７】
次にマイコン６ａにて時間の計時を開始する（ステップｓ４）。その後もスイッチ９ａが押されたかどうかを常に検知し続け（ステップｓ５）、スイッチ９ａが押されたことを検知すると、設定時間を初期値の４時間から６時間に変更する（ステップｓ７）。この設定時間は４時間から１２時間まで２時間毎に設定可能で、１２時間が設定されているときにスイッチ８ａが押されると、タイマー設定される前の動作に戻る（ステップｓ６）。また、タイマー設定の時間がステップｓ５にて変さらになるたびに、マイコン６ａによる時間の計時をリセットしてステップｓ６にて再度計時を開始する。
【００２８】
そして、このタイマー動作中にスイッチ１０ａが押されるのを検知すると（ステップｓ８）、ＬＣＤ８ａにて表示してきたタイマー設定の残時間表示（設定された時間から経過時間を引いた時間）をオフし、表示手段８による表示を全てオフし非表示状態とする（ステップｓ９）。この状態が低消費電力モードである。この状態で再度スイッチ１０ａが押されるのを検知すると（ステップｓ１０）、ＬＣＤ８ａのタイマー設定の残時間表示を開始する（ステップｓ１１）。
【００２９】
そして、低消費電力モードのステップｓ１２もしくはタイマー動作中のステップｓ１３でタイマー設定された時間が経過すると、まずＬＣＤ８ａが温度表示を開始し、温度検知手段３にて検知した温度に応じて加熱手段２にて加熱もしくは保温の動作を開始し、さらにその加熱手段２の状態に応じて、ＬＥＤ８ｂもしくはＬＥＤ８ｃを点灯させて、そのときの加熱状態を表示する。
【００３０】
以上の動作により、使用者が使用しない間の消費電力を低減させるために設定するタイマー動作において、さらに消費電力を低減するための設定手段である低消費電力設定手段１０を設け、使用者が低消費電力設定を行うと、表示手段８を全てオフさせ非表示状態とすることにより、タイマー動作時の消費電力を低減することが可能となる。
【００３１】
また、低消費電力モード中の表示を全てオフしている状態で、低消費電力設定手段１０に入力されるとＬＣＤによる残時間表示を行い、低消費電力モードを解除する構成としたが、これは、低消費電力設定手段１０に限るものではなく、全ての表示がオフしている状態であるため、使用者がどのキーを入力するか分からないので、ロック解除を行うロック解除スイッチや出湯用のスイッチでも入力を受け付けると、表示をオフからオンにし低消費電力モードをぬける構成としてもよい。
【００３２】
また、低消費電力モード中の表示を全てオフしている状態でロック解除スイッチが押されたときには、最初の検知では、低消費電力モードを解除してＬＣＤの表示をオンするだけで、最初のロック解除スイッチの入力を無効としてもよいが、無効にすることに限るものではなく、低消費電力モードを解除しＬＣＤ表示をオンするとともにロック解除状態へ移行させる構成としても問題ない。
【００３３】
さらに、低消費電力モード中でＬＣＤ表示がオフの時に、例えば強制的に加熱を行うスイッチや保温時の保温温度を選択するスイッチ等の他のスイッチを有している場合、他のスイッチの入力を検知したときも、低消費電力モードを解除しＬＣＤの表示をオンにする構成とすることにより、どのスイッチ入力でもＬＣＤの表示がオンされ、機器の状態が把握しやすくなり、使い勝手が向上する。
【００３４】
さらに、マイコン６ａを動作させるための通常の発振子に加え、通常の発振子より発振周波数の低い発振子を設け、低消費電力モード中の表示をオフしている間は、マイコン６ａを低速の発振子による動作に切り替えることにより、マイコン６ａの消費電力を低減することも可能である。
【００３５】
さらに、低消費電力モードの設定は、タイマー動作時に行う構成となっているが、少なくともタイマー動作時の消費電力を低減できればよく、タイマー動作以外のモードにおいても、表示手段８による表示を簡略化したり、表示をオフしたりする構成としても問題ない。
【００３６】
（実施の形態２）
本発明の実施の形態２における電気湯沸かし器について、図４を参照しながら説明する。実施の形態１で説明したものと同一構成部材には同一符号を用い、その説明を省略する。
【００３７】
図４は本実施の形態におけるマイコン６ａに記憶されたプログラムの低消費電力モードの部分におけるフローチャートを示したもので、これにより低消費電力モードの設定および動作を説明する。
【００３８】
タイマー動作中にスイッチ１０ａが押されるのを検知すると（ステップｓ８）、ＬＣＤ８ａにて表示してきたタイマー設定の残時間表示（設定された時間から経過時間を引いた時間）を３秒オン５秒オフ間欠表示に切り替える（ステップｓ１９）。この状態が低消費電力モードである。この状態で再度スイッチ１０ａが押されるのを検知すると（ステップｓ１０）、ＬＣＤ８ａのタイマー設定の残時間表示を開始する（ステップｓ１１）。
【００３９】
そして、低消費電力モードのステップｓ１２もしくはタイマー動作中のステップｓ１３でタイマー設定された時間が経過すると、まずＬＣＤ８ａが温度表示を開始し、温度検知手段３にて検知した温度に応じて加熱手段２にて加熱もしくは保温の動作を開始し、さらにその加熱手段２の状態に応じて、ＬＥＤ８ｂもしくはＬＥＤ８ｃを点灯させて、そのときの加熱状態を表示する。
【００４０】
以上の動作により、使用者が使用しない間の消費電力を低減させるために設定するタイマー動作において、さらに消費電力を低減するための設定手段である低消費電力設定手段１０を設け、使用者が低消費電力設定を行うと、表示手段８を間欠的にオンさせることにより、タイマー動作時の消費電力を低減することが可能となるだけでなく、表示が一定周期でオンすることにより、現在の状態を使用者が容易に確認することが可能となる。
【００４１】
なお、本実施の形態では、ＬＣＤ８ａの間欠表示を３秒オン５秒オフとしたが、これに限るものではなく、使用者がＬＣＤを見たときに内容を確認できるだけ充分なオン時間があればよく、また、オフ時間の割合を多くすることにより、ＬＣＤ８ａによる消費電力が少なくなることは言うまでも無い。
【００４２】
また、低消費電力モード中で表示が間欠的にオンしている時に、低消費電力設定手段１０に入力されると、ＬＣＤによる残時間表示を行い、低消費電力モードを解除する構成としたが、これは、低消費電力設定手段に限るものではなく、例えば、強制的に加熱を行うスイッチや保温時の保温温度を選択するスイッチ等の他のスイッチを有している場合、他のスイッチの入力を検知したときも、表示をオフからオンにし低消費電力モードをぬける構成としてもよい。
【００４３】
さらに、マイコン６ａを動作させるための通常の発振子に加え、通常の発振子より発振周波数の低い発振子を設け、低消費電力モード中の表示を間欠的にオンしている間やもしくは、間欠表示しているうちの、オフの期間の間だけ、マイコン６ａを低速の発振子による動作に切り替えることにより、マイコン６ａの消費電力を低減することも可能である。
【００４４】
さらに、低消費電力モードの設定は、タイマー動作時に行う構成となっているが、少なくともタイマー動作時の消費電力を低減できればよく、タイマー動作以外のモードにおいても、表示手段８による表示を簡略化したり、表示をオフしたりする構成としても問題ない。
【００４５】
（実施の形態３）
本発明の実施の形態３における電気湯沸かし器について、図５、図６を参照しながら説明する。実施の形態１で説明したものと同一構成部材には同一符号を用い、その説明を省略する。
【００４６】
図５において、低消費電力設定手段１０は、実施の形態１におけるタイマー設定手段を兼ねたものであり、加熱手段２により機器が湯沸かしまたは保温しているときに、低消費電力設定手段１０に信号を入力すると、タイマー動作や低消費電力モードの設定を行うことができる構成となっている。
【００４７】
図６は、本実施の形態における低消費電力設定手段１０の入力によって移行するモードの遷移を表したものである。まず、湯沸かしもしくは保温状態にて低消費電力設定手段１０を成すスイッチが押されると、まず、タイマー動作の“４時間”が設定され（モード１）、それと同時に加熱手段２による加熱もしくは保温動作が停止される。続いて、スイッチ１０ａが押される度に、タイマー動作の設定時間が２時間毎増加し、モード１からスイッチ１０ａを４回押すとタイマー動作の設定時間が“１２時間”となる（モード５）。
【００４８】
モード５にてスイッチ１０ａが押されると、今度は低消費電力モードの“４時間”設定となる（モード６）。この状態のままでスイッチ１０ａが押されてから第２の所定時間（本実施の形態では３分とする）が経過すると、表示手段８による表示を全てオフする。この表示手段８がオフしている状態でスイッチ１０ａが押されると、まず、表示手段８による表示をオンする（但し、モード６のまま）。この状態でスイッチ１０ａが３分間押されないと、再度表示手段８をオフする。もし、３分経過するまでにスイッチ１０ａが押されると低消費電力モードの“６時間”設定（モード７）となる。さらに、スイッチ１０ａを押していくと、低消費電力モードの設定時間が２時間ごとに増加し、設定時間が１２時間（モード１０）の状態でスイッチ１０ａが押されると、タイマー動作および低消費電力モードから抜けて、通常の湯沸かしもしくは保温の状態に移行する。
【００４９】
以上の動作により、使用者が使用しない間の消費電力を低減させるために設定するタイマー動作において、さらに消費電力を低減するための設定手段である低消費電力設定手段１０を設け、その低消費電力設定手段１０がタイマー設定手段を兼ねたことにより、タイマー動作時の消費電力を低減することが可能となるだけでなく、操作が複雑にならずに容易に低消費電力のモードを設定することが可能となる。
【００５０】
なお、本実施の形態では第二の所定時間を３分としたが、これは３分に限るものではなく、低消費電力モードの設定をしたときに誤設定してしまい再設定したいときや、設定中もしくは設定後に、設定時間を確認するのに充分な時間であれば良く、例えば、１分程度としても、同様の効果が得られる。
【００５１】
また、低消費電力設定手段１０に信号が入力されたときに、最初にタイマー動作が選択され、信号への入力を続けると低消費電力モードが設定できる構成としたが、これに限るものではなく、先に低消費電力モードが設定される構成としてもよい。
【００５２】
上記した各実施の形態１〜３における制御手段６は、低消費電力設定手段１０にて低消費電力モードが設定されている間は、先にも触れたが、制御手段を構成するマイコンも消費電力の少ないモードにて動作させる構成とすれば、タイマー動作時の消費電力をさらに低減することができるものである。
【００５３】
また、各実施の形態１〜３における電気湯沸かし器の構成において、低消費電力設定手段１０により、低消費電力モードが設定されている間、表示手段８による消費電力低減の表示を行う場合（間欠的表示を含む）、他の消費電力の低い表示手段にて表示を行うように構成すれば、タイマー動作中の消費電力を低減させることができる。
【産業上の利用可能性】
【００５４】
以上のように、本発明にかかる電気湯沸かし器は、低消費電力設定手段を設け、タイマー動作時に表示手段による表示を非表示状態とすることにより、タイマー動作時の消費電力を低減することができるので、ジャーポット、給湯機等の機器にも適用することができる。
【図面の簡単な説明】
【００５５】
【図１】本発明の実施の形態１、２における電気湯沸かし器を示すブロック図
【図２】同実施の形態１における電気湯沸かし器の回路図
【図３】同電気湯沸かし器の動作を示すフローチャート
【図４】本発明の実施の形態２における電気湯沸かし器の動作を示すフローチャート
【図５】本発明の実施の形態３における電気湯沸かし器を示すブロック図
【図６】同電気湯沸かし器のモード遷移を示す図
【符号の説明】
【００５６】
１  容器
２  加熱手段
３  温度検知手段
６  制御手段
７  加熱制御手段
８  表示手段
９  タイマー設定手段
１０  低消費電力設定手段
【図１】
2005137555.tif 000003
【図２】
2005137555.tif 000004
【図３】
2005137555.tif 000005
【図４】
2005137555.tif 000006
【図５】
2005137555.tif 000007
【図６】
2005137555.tif 000008